(57)【要約】【課題】  操作者は表示用画面に表示された内容を見ながら表示用画面を見ている顧客と対話して操作するので、円滑に操作を行うことができる。【解決手段】  情報処理システム１０は、写真撮影および撮影した写真の販売等のサービスを提供する写真撮影所に適用され、第１モニタ１４および第２モニタ２０を含む。第１モニタには、操作用画面（１００）が表示され、第２モニタには、表示用画面（２００）が表示される。操作用画面では、撮影画像が選択されると、選択された撮影画像を貼り付けた写真フレームの画像が表示される。この操作用画面では、撮影画像を選択するための画像および撮影画像を貼り付けた写真フレームの画像のみならず、選択操作等を行う操作に関する情報も表示される。一方、表示用画面には、撮影画像を選択するための画像および撮影画像を貼り付けた写真フレームの画像のみが表示される。【選択図】  図１
2020024444.tif 000002
【特許請求の範囲】
【請求項１】
第１表示装置および第２表示装置を備える情報処理システムであって、
画像データベースに記憶されている画像データを用いて複数の第１画像に対する操作者の選択操作を受け付けるとともに、当該選択操作の選択結果を含む操作用画面を前記第１表示装置に表示する第１表示制御手段、および
前記第１表示装置に表示される前記操作用画面の所定の領域に含まれる第２画像を前記第２表示装置に表示する第２表示制御手段を備え、
前記第１表示制御手段は、複数の構成要素によって前記所定の領域に表示する第３画像に対応する表示データを生成し、
前記第２表示制御手段は、前記複数の構成要素のうち、予め定めた一部の前記構成要素によって生成した前記第２画像に対応する表示データを前記第２表示装置に出力する、情報処理システム。
【請求項２】
前記所定の領域に相当する部分を視認可能に報知する報知手段をさらに備える、請求項１記載の情報処理システム。
【請求項３】
前記報知手段は、前記所定の領域に相当する部分の外枠を強調させる、請求項２記載の情報処理システム。
【請求項４】
第１表示制御手段は、前記操作用画面の所定の領域とは別の領域に、前記第２表示装置に表示される前記第２画像の縮小画像をさらに表示させる、請求項１ないし３のいずれかに記載の情報処理システム。
【請求項５】
前記縮小画像を表示するか否かを判断する判断手段をさらに備え、
前記第１表示制御手段は、前記判断手段によって前記縮小画像を表示することが判断された場合に、前記縮小画像を表示させる、請求項４記載の情報処理システム。
【請求項６】
第１表示装置および第２表示装置を備えるコンピュータの情報処理プログラムであって、
前記コンピュータのプロセッサに、
画像データベースに記憶されている画像データを用いて複数の第１画像に対する操作者の選択操作を受け付けるとともに、当該選択操作の選択結果を含む操作用画面を前記第１表示装置に表示する第１表示制御ステップ、および
前記第１表示装置に表示した前記操作用画面の所定の領域に含まれる第２画像を前記第２表示装置に表示する第２表示制御ステップを実行させ、
前記第１表示制御ステップは、複数の構成要素によって前記所定の領域に表示する第３画像に対応する表示データを生成し、
前記第２表示制御ステップは、前記複数の構成要素のうち、予め定めた一部の前記構成要素によって生成した前記第２画像に対応する表示データを前記第２表示装置に出力する、情報処理プログラム。
【請求項７】
第１表示装置および第２表示装置を備えるコンピュータの情報処理方法であって、
（ａ）画像データベースに記憶されている画像データを用いて複数の第１画像に対する操作者の選択操作を受け付けるとともに、当該選択操作の選択結果を含む操作用画面を前記第１表示装置に表示するステップ、および
（ｂ）前記第１表示装置に表示した前記操作用画面の所定の領域に含まれる第２画像を前記第２表示装置に表示するステップを含み、
前記ステップ（ａ）は、複数の構成要素によって前記所定の領域に表示する第３画像に対応する表示データを生成し、
前記ステップ（ｂ）は、前記複数の構成要素のうち、予め定めた一部の前記構成要素によって生成した前記第２画像に対応する表示データを前記第２表示装置に出力する、情報処理方法。
【発明の詳細な説明】
【技術分野】
【０００１】
この発明は、情報処理システム、情報処理プログラムおよび情報処理方法に関し、特にたとえば、スタジオで撮影した写真からアルバムに使用する写真を顧客と選択する、情報処理システム、情報処理プログラムおよび情報処理方法に関する。
【背景技術】
【０００２】
この種の背景技術の一例が特許文献１に開示される。この特許文献１に開示される表示システムは、ＰＤＰ装置と電子ペーパとが無線通信可能に接続される。ＰＤＰ装置は、所定の画像を表示可能なＰＤＰ（Plasma Display Panel）からなる表示部を備え、この表示部には、静電容量結合方式のタッチパネルセンサ（センサ部）が設けられている。一方、電子ペーパは、矩形状に形成された本体を有し、この本体には所定の画像を表示可能な表示部が備えられている。また、本体の４隅には、導体が突出して設けられている。このような表示システムは、ＰＤＰ装置のセンサ部に電子ペーパの導体を接触させることによって、ＰＤＰ装置に表示されている画像の一部の領域に対応する画像を電子ペーパによって表示させる。
【先行技術文献】
【特許文献】
【０００３】
【特許文献１】特開２００９−８６８４６号
【発明の概要】
【発明が解決しようとする課題】
【０００４】
しかし、特許文献１のような従来の表示システムは、ＰＤＰ装置のセンサ部に電子ペーパの導体を接触させることにより、接触されたＰＤＰ装置の表示部の一部の領域に表示された画像に対応する画像が電子ペーパの表示部に表示されるため、たとえば、ＰＤＰ装置を操作する操作者（サービスの提供者）が電子ペーパを見る者（顧客）に見せたくない画像が電子ペーパの表示部に表示されてしまうことがある。この場合、サービスの提供者と顧客との間で何らかのトラブルが発生したり、サービスの提供に遅延が発生したりすることがある。
【０００５】
それゆえに、この発明の主たる目的は、新規な、情報処理システム、情報処理プログラムおよび情報処理方法を提供することである。
【０００６】
この発明の他の目的は、円滑に操作を行うことができる、情報処理システム、情報処理プログラムおよび情報処理方法を提供することである。
【課題を解決するための手段】
【０００７】
第１の発明は、第１表示装置および第２表示装置を備える情報処理システムであって、第１表示制御手段、および第２表示制御手段を備える。第１表示制御手段は、画像データベースに記憶されている画像データを用いて複数の第１画像に対する操作者の選択操作を受け付けるとともに、当該選択操作の選択結果を含む操作用画面を第１表示装置に表示する。第２表示制御手段は、第１表示装置に表示される操作用画面の所定の領域に含まれる第２画像を第２表示装置に表示する。第１表示制御手段は、複数の構成要素によって所定の領域に表示する第３画像に対応する表示データを生成する。また、第２表示制御手段は、複数の構成要素のうち、予め定めた一部の構成要素によって生成した第２画像に対応する表示データを第２表示装置に出力する。
【０００８】
第１の発明によれば、操作者のための操作用画面を第１表示装置に表示し、操作者用画面の所定の領域に含まれる第２画像を第２表示装置に表示し、この第２画像は、操作者用画面の所定の領域に表示する第３画像を構成する複数の構成要素のうち、予め定めた一部の構成要素によって生成されるので、操作用画面に表示される情報のうち、見る者に提示する必要の無い情報を除いた第２画像を表示することができる。たとえば、サービスの提供者のような操作者と顧客のような見る者との間の無用のトラブルの発生を防止することができる。また、必要に応じて第２表示装置に表示される第２画像が更新される。つまり、円滑な操作を行うことができる。
【０００９】
第２の発明は、第１の発明に従属し、報知手段をさらに備える。報知手段は、操作用画面のうち、所定の領域に相当する部分を視認可能に報知する。したがって、操作者は、第２表示装置に表示される第２画像に相当する内容を理解する。
【００１０】
第２の発明によれば、第２表示装置に表示される第２画像では、操作用画面に相当する部分を視認可能に報知するので、当該部分を見て顧客と対話しながら効率良く作業することができる。
【００１１】
第３の発明は、第２の発明に従属し、報知手段は、所定の領域に相当する部分の外枠を強調させる。
【００１２】
第３の発明によれば、操作者は、所定の領域に相当する内容を容易に理解することができる。
【００１３】
第４の発明は、第１ないし第３の発明のいずれかに従属し、第１表示制御手段は、操作用画面の所定の領域とは別の領域に、第２表示装置に表示される第２画像の縮小画像をさらに表示させる。
【００１４】
第４の発明によれば、第２表示装置に表示される第２画像の縮小画像を操作用画面の所定の領域とは別の領域にさらに表示させるので、操作者は顧客のような第２表示装置に表示される第２画像を見ている者と同じ内容を見て対話することができる。したがって、顧客と適切に対話することができる。
【００１５】
第５の発明は、第４の発明に従属し、判断手段をさらに備える。判断手段は、縮小画像を表示するか否かを判断する。第１表示制御手段は、判断手段によって縮小画像を表示することが判断された場合に、縮小画像を表示させる。
【００１６】
第５の発明によれば、縮小画像を表示するかどうかを操作者の操作に応じて切り替えるようにすれば、必要に応じて縮小画像を表示することができる。
【００１７】
第６の発明は、第１表示装置および第２表示装置を備えるコンピュータの情報処理プログラムであって、コンピュータのプロセッサに、画像データベースに記憶されている画像データを用いて複数の第１画像に対する操作者の選択操作を受け付けるとともに、当該選択操作の選択結果を含む操作用画面を第１表示装置に表示する第１表示制御ステップ、および第１表示装置に表示した操作用画面の所定の領域に含まれる第２画像を第２表示装置に表示する第２表示制御ステップを実行させ、第１表示制御ステップは、複数の構成要素によって所定の領域に表示する第３画像に対応する表示データを生成し、第２表示制御ステップは、複数の構成要素のうち、予め定めた一部の構成要素によって生成した第２画像に対応する表示データを第２表示装置に出力する、情報処理プログラムである。
【００１８】
第７の発明は、第１表示装置および第２表示装置を備えるコンピュータの情報処理方法であって、（ａ）画像データベースに記憶されている画像データを用いて複数の第１画像に対する操作者の選択操作を受け付けるとともに、当該選択操作の選択結果を含む操作用画面を第１表示装置に表示するステップ、および（ｂ）第１表示装置に表示した操作用画面の所定の領域に含まれる第２画像を第２表示装置に表示するステップを含み、ステップ（ａ）は、複数の構成要素によって所定の領域に表示する第３画像に対応する表示データを生成し、ステップ（ｂ）は、複数の構成要素のうち、予め定めた一部の構成要素によって生成した第２画像に対応する表示データを第２表示装置に出力する、情報処理方法である。
【００１９】
第６および第７の発明においても、第１の発明と同様に、円滑な操作を行うことができる。
【発明の効果】
【００２０】
この発明によれば、円滑な操作を行うことができる。
【図面の簡単な説明】
【００２１】
【図１】図１はこの発明の一実施例の情報処理システムの構成を示す図解図である。
【図２】図２は図１の情報処理システムにおける制御装置の一例を示すブロック図である。
【図３】図３は図１の第１モニタに表示される操作用画面の一例を示す図解図である。
【図４】図４は図３に示す操作用画面を構成する操作用フレームの一例を示す図解図である。
【図５】図５は図３に示す操作用画面を構成する写真選択用フレームの一例を示す図解図である。
【図６】図６は図３に示す操作用画面を構成する写真フレームの一例を示す図解図である。
【図７】図７は図１に示す第２モニタに表示される表示用画面の一例を示す図解図である。
【図８】図８は図２の制御装置に内蔵されるＲＡＭのメモリマップの一例を示す図解図である。
【図９】図９（Ａ）は写真選択用テーブルの一例を示す図解図であり、図９（Ｂ）は写真フレームテーブルの一例を示す図解図である。
【図１０】図１０は図２に示すＣＰＵの画面表示処理の一例を示すフロー図である。
【図１１】図１１は図２に示すＣＰＵの操作用画面の表示処理の一例を示すフロー図である。
【図１２】図１２は図２に示すＣＰＵの表示用画面の表示処理の一例を示すフロー図である。
【図１３】図１３は図１に示す第１モニタに表示される操作用画面の他の例を示す図解図である。
【図１４】図１４は図１に示す第１モニタに表示される操作用画面のその他の例を示す図解図である。
【図１５】図１５は図２に示すＣＰＵの表示フラグ切替処理の一例を示すフロー図である。
【図１６】図１６は図２に示すＣＰＵの操作用画面の表示処理の他の例を示すフロー図である。
【発明を実施するための形態】
【００２２】
［第１実施例］
図１はこの発明の一実施例である情報処理システム１０の構成を示す図解図である。この図１を参照して、情報処理システム１０は、一例として、写真撮影および写真の販売などのサービスを提供する写真撮影所に設置され、制御装置１２を含む。制御装置１２は、一例として、スタッフ側モニタとして機能する第１モニタ（第１表示装置）１４、キーボード１６およびマウス１８を含む汎用コンピュータである。ただし、第１実施例では、操作の容易性からいわゆるタブレットコンピュータを利用する。タブレットコンピュータの場合、第１モニタ１４はタッチ画面表示器として構成される。第１モニタ１４は、液晶ディスプレイ、ＥＬディスプレイなどである。この第１モニタ１４はスタッフ用モニタであるため、顧客側に表示用画面が向けられることはない。
【００２３】
また、制御装置１２には、顧客側モニタとして機能する第２モニタ（第２表示装置）２０が、たとえばＲＳ２３２Ｃ（商品名）のような通信ケーブル２２によって接続される。この第２モニタ２０は顧客側に表示用画面が向けられる。第２モニタ２０は、液晶ディスプレイ、ＥＬディスプレイなどである。制御装置１２と第２モニタ２０の接続手段は、上述の通信ケーブル２２のような有線接続手段であってよいし、Ｗｉ−Ｆｉを利用した無線ＬＡＮあるいは近距離無線通信のような無線接続手段であってよい。
【００２４】
図２は制御装置１２の電気的構成の一例を示すブロック図である。制御装置１２は、全体的な制御を行うＣＰＵ２４を含む。このＣＰＵ２４は、コンピュータを構成し、バス２６を通じて、キーボード１６やマウス１８を含む入力装置２８、ＲＡＭ３０および画像データベース３２などに接続される。ＲＡＭ３０は、ＣＰＵ２４のワーク領域およびバッファ領域として用いられる。図示は省略するが、他の記憶装置として、制御装置１２の起動プログラムなどを記憶するＲＯＭおよび制御装置１２のオペレーティングシステム（ＯＳ）およびアプリケーションプログラムを記憶するハードディスクドライブ（ＨＤＤ）も設けられる。
【００２５】
画像データベース３２は、一例として、ＨＤＤであり、当該写真撮影所のすべての撮影画像（写真）データを蓄えておくための記憶装置である。ＣＰＵ２４は、バス２６および図示しないＬＡＮなどを通して、この画像データベース３２にアクセスできる。画面表示処理（図１０参照）のような情報処理（画像データ処理）を実行するときには、上述の画像データベース３２から該当する顧客の画像データなど、処理に必要な画像データがＲＡＭ３０などに記憶される。
【００２６】
なお、この第１実施例では、画像データベース３２はＨＤＤとして説明するが、これは、たとえば、ＤＤＲ  ＳＤＲＡＭ（Double Data Rate Synchronous Dynamic Random Access Memory）などの揮発性メモリ、およびフラッシュＲＯＭ、ＥＥＰＲＯＭ（登録商標）、などの不揮発性メモリで構成されてもよい。
【００２７】
表示制御回路３４は、ＣＰＵ２４の制御に従って、たとえばＲＡＭ３０から読み出された撮影画像データに基づいて、第１モニタ１４に画像を表示する。たとえば、ＣＰＵ２４がＲＡＭ３０から後述する画像生成データ３０４ｂおよび撮影画像データ３０４ｃを読み出し、その画像生成データ３０４ｂおよび撮影画像データ３０４ｃが表示制御回路３４に与えられる。表示制御回路３４では、画像生成データ３０４ｂおよび撮影画像データ３０４ｃを用いてＶＲＡＭ（図示せず）上で表示データを生成し、それを第１モニタ１４に与える。このようにして、制御装置１２では、第１モニタ１４において、撮影画像を含む画面（この第１実施例では、操作用画面１００）が表示される。
【００２８】
表示制御回路３６は、上述の通信ケーブル２２を通して制御装置１２から撮影画像データを受け取り、その撮影画像データに基づいて、第２モニタ２０に画像を表示する。たとえば、ＣＰＵ２４がＲＡＭ３０から画像生成データ３０４ｂおよび撮影画像データ３０４ｃを読み出し、その画像生成データ３０４ｂおよび撮影画像データ３０４ｃが表示制御回路３６に与えられる。表示制御回路３６では、画像生成データ３０４ｂおよび撮影画像データ３０４ｃに従ってＶＲＡＭ（図示せず）上で表示データを生成し、それを第２モニタ２０に与える。このようにして、制御装置１２では、第２モニタ２０において、撮影画像を含む画面（この第１実施例では、表示用画面２００）が表示される。
【００２９】
ただし、撮影画像データは、第１実施例では写真画像（静止画像）のデータであるが、動画像のデータであってもよい。
【００３０】
第１モニタ１４は、ディスプレイスクリーンにタッチパネルの機能を備えた表示器である。タッチパネル制御回路３８は、そのタッチパネルに必要な電圧などを付与するとともに、タッチパネルのタッチ有効範囲内でのタッチ操作（タッチ入力）を検出して、そのタッチ入力の位置を示すタッチ座標データをＣＰＵ２４に出力する。
【００３１】
ただし、タッチパネルとしては、一例として、静電容量方式を用いるが、その他電磁誘導方式、抵抗膜方式、赤外線方式など、任意の方式のものを用いることができる。
【００３２】
なお、この第１実施例では、第１モニタ１４がタッチ画面表示器であり、操作者のタッチ操作に従って動作するように説明するが、第１モニタ１４はタッチ画面表示器でなくてもよい。その場合には、操作者は図１に示すようなキーボード１６やマウス１８などの入力装置２８（図２）を用いて操作すればよい。
【００３３】
このような情報処理システムは、上述したように、写真撮影および写真の販売などのサービスを提供する写真撮影所に設置される。このような写真撮影所では、撮影されたすべて（総数であるＮ枚）の撮影画像から一部（Ｎ枚よりも少ないｎ枚）の撮影画像が選択され、選択されたｎ枚の撮影画像からアルバムの作成に使用される撮影画像がさらに選択される。ただし、使用される撮影画像は、予め選択されたアルバムのデザイン（種類）および写真フレームの種類などに応じて顧客によって選択される。
【００３４】
なお、一例として、紙媒体のアルバム（写真集）を作成する場合について説明するが、作成する商品はこれに限定される必要はない。他の例としては、電子フォトブック、ポストカード（年賀状）、缶バッジ、キーホルダ、ストラップなどの商品を作成する場合にも適用可能である。
【００３５】
また、撮影画像の総数が少ない場合には、ｎ枚の撮影画像に絞り込まずに、Ｎ枚の撮影画像からアルバムの作成に使用する撮影画像を選択するようにしてもよい。
【００３６】
以下においては、アルバムの作成に使用する撮影画像を選択する場合について説明するが、この前段階（前処理）として、上述したように、撮影画像がＮ枚からｎ枚に選択されるとともに、作成するアルバムの種類と、１または複数種類の写真フレームが顧客によって選択（決定）される。
【００３７】
図３は図１に示した第１モニタ１４に表示される操作用画面１００の一例を示す図解図である。図４は図３に示す操作用画面１００を構成する操作用フレーム１０２の一例を示す図解図である。図５は図３に示す操作用画面１００を構成する写真選択用フレーム１０４の一例を示す図解図である。図６は図３に示す操作用画面１００を構成する写真フレーム１０６の一例を示す図解図である。図７は図１に示した第２モニタ２０に表示される表示用画面２００の一例を示す図解図である。
【００３８】
図３に示す操作用画面１００は、写真撮影所において、撮影した写真（撮影画像）を選択し、アルバムを作成する場合に、操作者（サービス提供者）に提示される画面である。図３〜図６に示すように、図３に示す操作用画面１００は、図４に示す操作用フレーム１０２、図５に示す写真選択用フレーム１０４および図６に示す写真フレーム１０６で構成される。
【００３９】
写真選択用フレーム１０４には、撮影画像のサムネイル１０４ａ、ラベル画像１０４ｂ、ラベル画像１０４ｃおよび商品代についての文字列１１０が表示される。ラベル画像１０４ｂは、その上方に表示されるサムネイル１０４ａに対応する撮影画像の画像データ（画像ファイル）に付されたファイル名（ここでは、Ａ１、Ａ３、Ａ１１、Ｂ２、Ｂ５）を表示するための画像である。また、ラベル画像１０４ｃは、顧客が選択した複数種類の写真フレーム１０６の画像データに付されたファイル名（ここでは、Ｆ１、Ｆ２、Ｆ３）を表示するための画像である。
【００４０】
詳細な説明は省略するが、初期の操作用画面１００が表示される場合には、ｎ枚（またはＮ枚）の撮影画像のうち、ファイル名の並び順または撮影時間の早い順で、１〜５番目までの撮影画像に対応するサムネイル１０４ａが写真選択用フレーム１０４に貼り付けられる（表示される）。
【００４１】
また、写真フレーム１０６には、選択された撮影画像１０６ａおよび１０６ｂが貼り付けられる。撮影画像１０６ａおよび１０６ｂの前面には、それぞれの画像データに付されたファイル名（ここでは、Ａ１、Ａ３）を表示するためのラベル画像１０８が表示される。このように、ラベル画像１０８を表示するのは、通常、撮影画像は６枚以上あり、サムネイル１０４ａがスクロールされると、写真フレーム１０６に貼り付けられた撮影画像のサムネイル１０４ａが写真選択用フレーム１０４に表示されていない場合があるためである。
【００４２】
詳細な説明は省略するが、初期の操作用画面１００が表示される場合には、写真選択用フレーム１０４に表示されたサムネイル１０４ａに対応する撮影画像がファイル名の並び順または撮影時間の早い順に写真フレーム１０６に貼り付けられる。
【００４３】
また、図面では表現することができないが、写真選択用フレーム１０４および写真フレーム１０６は、操作用画面１００において強調して表示される。写真フレーム１０６を含む写真選択用フレーム１０４は、後述する表示用画面２００に相当する部分（画像）であり、そのことを操作者に報知するためである。具体的には、この第１実施例では、写真選択用フレーム１０４の外枠が点滅表示される。
【００４４】
図４に示すように、操作用フレーム１０２は、領域１０２０と、領域１０２０以外の領域１０２２を有している。図３〜図７から分かるように、領域１０２０は、写真選択用フレーム１０４、写真フレーム１０６およびラベル画像１０８を設ける（表示する）ための矩形の領域である。領域１０２２は、操作用フレーム１０２の上端部分に、顧客と一緒に写真を選択する旨の文字列を表示するとともに、操作用フレーム１０２の右端部分に、操作ボタンないしアイコン（第１実施例では、アイコン１０２ａ、１０２ｂ）を設ける（表示する）Ｌ字状の領域である。
【００４５】
図５に示すように、写真選択用フレーム１０４では、その上端部分に、複数（ここでは、５枚）の写真（撮影画像）の各々のサムネイル１０４ａを表示するための複数（ここでは、５つ）の領域１０４０が設けられるとともに、各領域１０４０の下側に、サムネイル１０４ａに対応する撮影画像の画像データに付されるファイル名（ラベル画像１０４ｂ）を表示するための領域１０４２が設けられる。また、写真選択用フレーム１０４では、その下端の中央部に、複数（ここでは、３つ）の写真フレーム１０６の画像データに付されるファイル名を記述したラベル画像１０４ｃを表示するための複数（ここでは、３つの）領域１０４４が設けられる。
【００４６】
図６に示すように、写真フレーム１０６は、大きさの異なる２つの領域１０６０および領域１０６２が並べて設けられる。領域１０６０および領域１０６２は、いずれも撮影画像の画像データを貼り付けるために設けられる。また、写真フレーム１０６の背景には、単一色または模様が付されたり、予め作成または撮影された風景の画像が表示されたり、所定のキャラクタが表示されたりする。たとえば、所定のキャラクタは、著作権による保護を受けていないキャラクタおよび著作権による保護を受けているキャラクタを含む。また、図６に示す写真フレーム１０６は一例であり、写真を貼り付ける領域の個数、位置および大きさが異なるとともに、背景が異なる、複数種類の写真フレーム１０６が予め用意されている。ただし、写真フレーム１０６の全体に撮影画像が貼り付けられることもある。そして、各写真フレーム１０６の画像データには、異なるファイル名が付されている。
【００４７】
また、図７に示す表示用画面２００は、上述したように、写真撮影所において、撮影した撮影画像を選択し、アルバムを作成する場合に、写真フレームおよび撮影画像を見たり選択したりする者（顧客）に提示される画面である。
【００４８】
図７に示すように、表示用画面２００は、写真選択用フレーム２０２および写真フレーム２０４によって構成される。ただし、写真選択用フレーム２０２は、図５に示した写真選択用フレーム１０４と同じであり、写真フレーム２０４は、図６に示した写真フレーム１０６と同じであるため、重複した説明は省略する。
【００４９】
図７に示す表示用画面２００においても、操作用画面１００と同様に、複数の撮影画像のサムネイル２０２ａが表示され、各サムネイル２０２ａに対応して、その下方に、サムネイル２０２ａに対応する撮影画像の画像データに付されたファイル名を表示するラベル画像２０２ｂが表示される。ラベル画像２０２ｂの下方には、写真フレーム２０４およびラベル画像２０２ｃが表示される。また、写真フレーム２０４には、撮影画像２０４ａおよび２０４ｂが貼り付けられる。この撮影画像２０４ａおよび２０４ｂもまた、撮影画像１０６ａおよび１０６ｂと同じである。
【００５０】
たとえば、写真撮影所のスタッフのような操作者は、第１モニタ１４に表示された操作用画面１００を見て、第２モニタ２０に表示された表示用画面２００を見ている顧客と対話（会話）し、顧客の指示に従って、写真フレーム１０６に貼り付ける撮影画像を選択および変更する。撮影画像を変更する場合には、操作者は、アイコン１０２ａを操作する。次に、操作者は、写真フレーム１０６において、他の撮影画像に置き換えたい変更前の撮影画像（１０６ａ、１０６ｂ）を指定する。そして、操作者は、サムネイル１０４ａから他の撮影画像（変更後の撮影画像）を指定する。すると、写真フレーム１０６において、撮影画像が変更される。現在の写真フレーム１０６に貼り付ける撮影画像が決定されると、操作者は、顧客と対話し、次の（他の）写真フレーム１０６に貼り付ける撮影画像を選択および変更する。このような処理が繰り返し行われ、すべての写真フレーム１０６に貼り付ける撮影画像が決定されると、アルバムの注文処理に移行する。ただし、写真フレーム１０６または／および撮影画像を変更する場合もある。
【００５１】
したがって、上記の操作用画面１００に表示される情報のうち、顧客に見せる必要の無い情報については、表示用画面２００に含まれていない。具体的には、写真フレーム１０６に貼り付けられた撮影画像１０６ａおよび１０６ｂの前面には、ラベル画像１０８が表示されるが、このラベル画像１０８に相当する画像は、表示用画面２００には表示されていない。また、操作用画面１００では、商品代金についての文字列１１０が表示されるが、表示用画面２００では、商品代についての文字列１１０は表示されない。また、顧客が直接操作することが無いため、表示用画面２００には、操作用フレーム１０２は設けられていない。
【００５２】
このように、表示用画面２００には、写真を選択するために必要な情報およびその選択結果のみが表示される。したがって、たとえば、顧客が写真の選択中に商品代を考慮することがほとんど無いため、商品代に縛られずに写真を選択する機会を提供することができる。また、操作者は、操作用画面１００の内で強調された表示用画面２００と同様の画像を見ることができるので、操作の安心感を得たり、顧客と対話（会話）しながらアルバムの原案を作成したりするため、作業効率が向上されると考えられる。つまり、無用のトラブルを回避し、円滑に操作を行うことができる。
【００５３】
図８は図２に示す制御装置１２のＲＡＭ３０のメモリマップ３００の一例を示す図解図である。図９（Ａ）は写真選択用テーブル４００の一例を示す図解図であり、図９（Ｂ）は写真フレームテーブル５００の一例を示す図解図である。
【００５４】
図８に示すように、ＲＡＭ３０は、プログラム記憶領域３０２およびデータ記憶領域３０４を含む。プログラム記憶領域３０２には、この第１実施例の情報処理プログラムが記憶され、情報処理プログラムは、操作検出プログラム３０２ａ、画像生成プログラム３０２ｂおよび画像表示プログラム３０２ｃなどによって構成される。
【００５５】
操作検出プログラム３０２ａは、操作者の操作入力を検出するためのプログラムであって、具体的には、入力装置２８（キーボード１６、マウス１８）およびタッチパネルから入力される操作入力データ３０４ａを取得し、取得した操作入力データ３０４ａをデータ記憶領域３０４に記憶するためのプログラムである。
【００５６】
画像生成プログラム３０２ｂは、画像生成データ３０４ｂおよび撮影画像データ３０４ｃを用いて、操作用画面１００および表示用画面２００のそれぞれに対応する表示データを生成するためのプログラムである。
【００５７】
画像表示プログラム３０２ｃは、画像生成プログラム３０２ｂに従って生成された操作用画面１００に対応する表示データを第１モニタ１４に出力したり、画像生成プログラム３０２ｂに従って生成された表示用画面２００に対応する表示データを第２モニタ２０に出力したりするためのプログラムである。
【００５８】
図示は省略するが、プログラム記憶領域３０２には、撮影画像データを使用してアルバム等を作成するために必要な他のプログラムも記憶される。
【００５９】
データ記憶領域３０４には、操作入力データ３０４ａ、画像生成データ３０４ｂ、撮影画像データ３０４ｃ、写真選択用テーブルデータ３０４ｄ、写真フレームテーブルデータ３０４ｅなどのデータが記憶される。
【００６０】
操作入力データ３０４ａは、入力装置２８から入力されるデータであり、この第１実施例では、キーボード１６からのキーデータと、マウス１８からのクリックデータおよび座標指示データと、タッチパネルからのタッチ座標データを含む。
【００６１】
画像生成データ３０４ｂは、操作用画面１００に対応する表示データおよび表示用画面２００に対応する表示データを生成するためのデータであり、ポリゴンデータおよびテクスチャデータを含む。また、画像生成データ３０４ｂは、操作用フレーム１０２、写真選択用フレーム１０４（２０２）および写真フレーム１０６（２０４）のそれぞれについての画像データを含む。
【００６２】
撮影画像データ３０４ｃは、撮影画像についての画像データであり、顧客に応じて画像データベース３２から読み出され、データ記憶領域３０４に記憶される。ただし、顧客に対応するすべての撮影画像についての画像データを読み出す必要は無く、一部の撮影画像についての画像データを読み出すようにしてもよい。
【００６３】
写真選択用テーブルデータ３０４ｄは、写真選択用テーブル４００についてのデータである。図９（Ａ）に示すように、写真選択用テーブル４００は、サムネイル１０４ａの領域１０４０を識別するための識別情報（サムネイルＩＤ）に対応して、当該サムネイル１０４ａに対応する撮影画像の画像データのファイル名が記述される。つまり、サムネイルＩＤは、５つの領域１０４０を個別に識別するための識別情報である。図９（Ａ）に示す例では、サムネイルＩＤは、アルファベットの大文字Ｔと数字を用いて示してある。この写真選択用テーブル４００は、領域１０４０（写真選択用フレーム１０４）に表示されているサムネイル１０４ａを管理するためのテーブルである。したがって、サムネイル１０４ａがスクロールされると、写真選択用テーブル４００が更新される。
【００６４】
なお、サムネイルの画像データは、撮影画像の画像データ（画像ファイル）に含まれている。
【００６５】
図８に戻って、写真フレームテーブルデータ３０４ｅは、写真フレームテーブル５００についてのデータである。図９（Ｂ）に示すように、写真フレームテーブル５００は、写真フレーム１０６の画像データに付されたファイル名（識別情報）に対応して、撮影画像の画像データのファイル名が記述される。ただし、写真フレーム１０６の画像データに付されたファイル名は、顧客が選択した写真フレーム１０６の画像データについてのファイル名である。また、撮影画像の画像データに付されたファイル名は、対応する写真フレーム１０６に貼り付けられることが決定（仮決定）された撮影画像の画像データについてのファイル名である。したがって、写真フレーム１０６に複数の撮影画像の画像データが貼り付けられる場合には、当該写真フレーム１０６の画像データのファイル名に対応して、複数の撮影画像の画像データの各々に付されたファイル名が記述される。ただし、図９（Ｂ）では、写真フレーム１０６に貼り付ける撮影画像が未決定であることを横棒で示してある。
【００６６】
なお、図示しないが、データ記憶領域４２には、この第１実施例の情報処理を実行するために必要な他のデータが記憶されたり、この情報処理を実行するために必要なフラグおよびタイマなどが適宜設定されたりする。
【００６７】
図１０は図２に示すＣＰＵ２４の画面表示処理の一例を示すフロー図である。図１０に示すように、ＣＰＵ２４は、画面表示処理を開始すると、ステップＳ１で、後述する操作用画面の表示処理（図１１参照）を実行し、ステップＳ３で、後述する表示用画面の表示処理（図１２参照）を実行して、ステップＳ５に進む。
【００６８】
ただし、ステップＳ１の処理が実行されると、初期の操作用画面１００が第１モニタ１４に表示され、ステップＳ３の処理が実行されると、初期の表示用画面２００が第２モニタ２０に表示される。
【００６９】
また、図示は省略するが、画面表示処理を開始すると、ステップＳ１の処理に先立って、写真選択用テーブル４００および写真フレームテーブル５００が生成される。このとき、写真選択用テーブル４００には、ｎ枚（Ｎ枚）の撮影画像をファイル名の順または撮影時間の順に並べた場合の１〜５番目までの撮影画像のファイル名がサムネイルＩＤに対応して記載される。また、写真フレームテーブル５００では、顧客によって選択された写真フレーム１０６の画像データに付されたファイル名が記述される。また、１番目の写真フレーム１０６のファイル名に対応して、当該写真フレーム１０６に貼り付ける１または複数の撮影画像の画像データに付されたファイル名が、写真選択用テーブル４００の先頭から貼り付ける枚数分だけ取得され、記述される。
【００７０】
ステップＳ５では、操作入力が有るかどうかを判断する。ここでは、ＣＰＵ２４は、現フレームにおける操作入力データ３０４ａがデータ記憶領域３０４に記憶されているかどうかを判断する。ただし、フレームは、画面を更新する単位時間であり、たとえば、１／３０秒、１／６０秒または１／１２０秒に設定される。
【００７１】
ステップＳ５で“ＮＯ”であれば、つまり、操作入力が無ければ、同じステップＳ５に戻る。一方、ステップＳ５で“ＹＥＳ”であれば、つまり、操作入力が有れば、ステップＳ７で、終了かどうかを判断する。ここでは、ＣＰＵ２４は、アイコン（終了ボタン）１０２ｂが操作されたかどうかを判断する。
【００７２】
ステップＳ７で“ＹＥＳ”であれば、つまり、終了であれば、画面表示処理を終了する。この場合、図示は省略するが、アルバムの注文に進んだり、撮影画像および写真フレーム１０６の選択（変更）処理に戻ったりすることがメニュー画面において選択される。
【００７３】
一方、ステップＳ７で“ＮＯ”であれば、つまり、終了でなければ、ステップＳ９で、サムネイル１０４ａをスクロールするかどうかを判断する。たとえば、ＣＰＵ２４は、サムネイル１０４ａ上でスライドまたはフリックが行われたかどうかを判断する。
【００７４】
ステップＳ９で“ＹＥＳ”であれば、つまり、サムネイル１０４ａのスクロールであれば、ステップＳ１３に進む。図示は省略するが、このとき、写真選択用テーブル４００がスクロールに応じて更新される。一方、ステップＳ９で“ＮＯ”であれば、つまり、サムネイル１０４ａのスクロールでなければ、ステップＳ１１で、写真の変更であるかどうかを判断する。ここでは、ＣＰＵ２４は、アイコン（写真変更ボタン）１０２ａが操作され、変更前の撮影画像（１０６ａ、１０６ｂ）が選択された後に、変更後の撮影画像（サムネイル１０４ａ）が選択されたかどうかを判断する。
【００７５】
ステップＳ１１で“ＹＥＳ”であれば、つまり、写真の変更であれば、ステップＳ１３で、操作用画面の表示処理を実行し、ステップＳ１５で、表示用画面の表示処理を実行して、ステップＳ５に戻る。ただし、ステップＳ１３およびＳ１５では、サムネイル１０４ａのスクロールまたは写真の変更に応じて、操作用画面１００および表示用画面２００が更新される。つまり、必要に応じて、操作用画面１００のみならず、表示用画面２００が更新される。
【００７６】
一方、ステップＳ１１で“ＮＯ”であれば、つまり、写真の変更でなければ、ステップＳ１７で、操作用画面の表示処理を実行してから、ステップＳ５に戻る。たとえば、ステップＳ１７では、アイコン１０２ａが操作されたことに応じて、アイコン１０２ａの色を反転またはグレーアウトするように、操作用画面１００が更新される。また、変更前の撮影画像（たとえば、１０６ａ、１０６ｂ）が選択された場合には、この撮影画像の輝度が低下またはグレーアウトするように、操作用画面１００が更新される。
【００７７】
図１１は、図１０のステップＳ１、Ｓ１３、Ｓ１７に示した操作用画面の表示処理の一例を示すフロー図である。ただし、この操作用画面の表示処理は、ＣＰＵ２４の指示に従って表示制御回路３４に内蔵されるＧＰＵが実行する。
【００７８】
図１１に示すように、ＣＰＵ２４は、操作用画面の表示処理を開始すると、ステップＳ３１で、操作用フレーム１０２を生成および表示する。ここでは、ＣＰＵ２４の指示の下、ＧＰＵが、画像生成データ３０４ｂから操作用フレーム１０２の画像データを読み出し、表示制御回路３４に内蔵されるＶＲＡＭに展開し、表示データを生成する。ただし、画面表示処理において、アイコン１０２ａが操作された場合には、アイコン１０２ａの色を反転させたり、グレーアウトしたりする。そして、ＧＰＵは、ＶＲＡＭ上に生成した表示データを第１モニタ１４に出力する。
【００７９】
続くステップＳ３３では、写真選択用フレーム１０４を生成および表示する。ここでは、ＣＰＵ２４の指示の下、ＧＰＵが、画像生成データ３０４ｂから写真選択用フレーム１０４の画像データを読み出し、ＶＲＡＭ上の操作用フレーム１０２の所定位置に展開するととともに、データ記憶領域３０４から５つのサムネイル１０４ａを読み出し、５つのサムネイル１０４ａを写真選択用フレーム１０４の領域１０４０に貼り付けて、表示データを生成する。ただし、サムネイル１０４ａが領域１０４０に貼り付けられると、対応するファイル名についてのラベル画像１０４ｂが領域１０４２に描画される。このとき、写真選択用テーブル４００が参照される。そして、ＧＰＵは、ＶＲＡＭ上に生成した表示データを第１モニタ１４に出力する。
【００８０】
続いて、ステップＳ３５では、写真フレーム１０６を生成および表示する。ここでは、ＣＰＵ２４の下、ＧＰＵが、画像生成データ３０４ｂから操作者が指示した写真フレーム１０６の画像データを読み出し、ＶＲＡＭ上の写真選択用フレーム１０４の所定位置に展開され、当該写真フレーム１０６に設けられた領域（１０６０，１０６２）に撮影画像の画像データが貼り付けられて、表示データが生成される。そして、ＧＰＵは、ＶＲＡＭ上に生成した表示データを第１モニタ１４に出力する。
【００８１】
次のステップＳ３７では、画像ファイル名を表示する。ここでは、ＣＰＵ２４の指示の下、ＧＰＵが、写真フレーム１０６に表示された撮影画像の画像データに付されたファイル名についてのラベル画像１０８の画像データを、対応する撮影画像の画像データの前面に貼り付ける（描画する）。
【００８２】
さらに、ステップＳ３９で、商品代を表示する。ここでは、ＣＰＵ２４の指示の下、ＧＰＵが写真選択用フレーム１０４の右下部分に、商品代についての文字列１１０を表示する。ただし、商品代は、作成するアルバムの種類、使用する写真フレームおよび使用する撮影画像の枚数などに応じて別途算出される。ここでは、現在決定されている内容に応じた商品代が算出され、商品代についての文字列１１０（合計金額等の文字列を含む）が表示される。
【００８３】
そして、ステップＳ４１で、表示用画面２００部分の外枠を点滅表示して、操作用画面の表示処理を終了する。このステップＳ４１では、ＣＰＵ２４の指示の下、ＧＰＵが、ＶＲＡＭに展開した写真選択用フレーム１０４の外枠を点滅させる。
【００８４】
なお、この第１実施例の操作用画面の表示処理では、各ステップにおいて表示処理を実行するようにしてあるが、操作用画面１００に対応する表示データをＶＲＡＭ上で生成した後に、表示処理を実行するようにしてもよい。
【００８５】
図１２は、図１０のステップＳ３、Ｓ１５に示した表示用画面の表示処理の一例を示すフロー図である。ただし、この表示用画面の表示処理は、ＣＰＵ２４の指示に従って表示制御回路３６に内蔵されるＧＰＵが実行する。また、表示用画面の表示処理において実行される処理は、上述した操作用画面の表示処理に含まれる処理と同様であるため、簡単に説明することにする。
【００８６】
図１２に示すように、ＣＰＵ２４は、表示用画面の表示処理を開始すると、ステップＳ６１で、写真選択用フレーム２０２を生成および表示する。ただし、写真選択用フレーム２０２に対応する表示データは表示制御回路３６に内蔵されるＶＲＡＭに生成される。このことは、ステップＳ６３においても同じである。また、写真選択用フレーム２０２は、ステップＳ３３で生成される写真選択用フレーム１０４と同じである。
【００８７】
次のステップ６３では、写真フレーム２０４を生成および表示して、表示用画面の表示処理を終了する。この写真フレーム２０４は、ステップＳ３５で生成される写真フレーム１０６と同じである。
【００８８】
第１実施例によれば、操作用画面１００とその一部についての表示用画面２００を生成して、それぞれ別のモニタに表示するので、顧客のような撮影画像を選択したり、選択結果を見たりする者に不要な情報を提示することがない。したがって、無用のトラブルの発生を防止することができる。また、表示用画面２００と同様の内容を操作用画面１００で確認することができるので、サービスの提供者のような操作者と顧客との間でコミュニケーションを行い、撮影画像の選択等の操作を安心して行うことができる。したがって、円滑に操作を行うことができる。
【００８９】
なお、第１実施例では、操作用画面１００において、写真選択用フレーム１０４の外枠を点滅表示させることにより、操作用画面１００のうちの表示用画面２００に相当する部分を強調するようにしたが、これに限定される必要はない。たとえば、操作用フレーム１０２の全体の輝度（明るさ）を、写真選択用フレーム１０４および写真フレーム１０６の輝度よりも低くするようにしてもよい。
【００９０】
［第２実施例］
第２実施例の情報処理システム１０は、操作用画面１００の一部に、表示用画面２００の縮小画面を選択的に表示できるようにした以外は、第１実施例と同じであるため、重複した説明は省略する、または、簡単に説明する。
【００９１】
図１３は操作用画面１００の他の例を示す図解図である。また、図１４は操作用画面１００のその他の例を示す図解図である。
【００９２】
図１３に示すように、第３実施例では、操作用画面１００を構成する操作用フレーム１０２にアイコン１０２ｃおよび領域１０２ｄがさらに設けられる。図１３からも分かるように、アイコン１０２ｃは、アイコン１０２ａの下方に設けられ、アイコン１０２ｃとアイコン１０２ｂの間に、領域１０２ｄが設けられる。
【００９３】
アイコン１０２ｃは、表示用画面２００の縮小画像を表示または非表示することを指示するために設けられる。領域１０２ｄは、表示用画面２００の縮小画像を表示または非表示するために設けられる。図１３に示す操作用画面１００では、領域１０２ｄには、表示用画面２００の縮小画像は非表示である。
【００９４】
たとえば、図１３に示す操作用画面１００において、アイコン１０２ｃが操作されると、表示用画面２００を表示することが指示され、図１４に示すような操作用画面１００が表示される。図１４に示すように、操作用画面１００では、領域１０２ｄには、表示用画面２００の縮小画像が表示される。この縮小画像は、表示用画面２００をキャプチャした画像を縮小したものである。ただし、図１４では、図面の都合上、ラベル画像１０４ｂおよび１０４ｃに記載されるファイル名の文字列は省略してある。たとえば、表示制御回路３６に内蔵されたＶＲＡＭに生成された表示用画面２００の表示データがコピーされ、コピーされた表示データがＲＡＭ３０の作業領域または表示制御回路３４に内蔵されるＶＲＡＭの空き領域で縮小され、操作用フレーム１０２の領域１０２ｄに貼り付けられる。
【００９５】
また、図１４に示す操作用画面１００において、アイコン１０２ｃが操作されると、表示用画面２００を非表示することが指示され、図１３に示したような操作用画面１００が表示される。つまり、図１３に示したように、表示用画面２００の縮小画像が非表示される。
【００９６】
このように、第２実施例では、アイコン１０２ｃを操作することにより、必要に応じて、表示用画面２００の縮小画像を操作用画面１００で見ることができる。つまり、必要に応じて、操作者は表示用画面２００の縮小画像を操作用画面１００に表示することができる。
【００９７】
操作用画面１００では、写真選択用フレーム１０４および写真フレーム１０６が表示されるが、写真選択用フレーム１０４の右下には商品代についての文字列１１０が表示され、写真フレーム１０６では、撮影画像１０６ａ、１０６ｂの前面にラベル画像１０８が表示されるため、実際の表示用画面２００と見た目が異なる。このため、表示用画面２００の縮小画像を表示することにより、顧客が見ている表示用画面２００と同等の画面を見て顧客と対話することができる。
【００９８】
したがって、第２実施例では、アイコン１０２ｃの操作に応じて、表示用画面２００の縮小画像の表示／非表示を切り替えるためのプログラム（切替プログラム）がプログラム記憶領域３０２に記憶される。
【００９９】
また、この切替プログラムによって、オン／オフされるフラグ（表示切替フラグ）がデータ記憶領域３０４に設けられる。たとえば、表示フラグがオンである場合に、表示用画面２００の縮小画像が表示され、表示フラグがオフである場合に、表示用画面２００の縮小画像が非表示される。
【０１００】
図１５は図２に示すＣＰＵ２４の表示フラグ切替処理の一例を示すフロー図である。図示は省略するが、この表示フラグ切替処理は、図１０に示した画面表示処理において、ステップＳ５〜Ｓ１１の間で実行される。
【０１０１】
図１５に示すように、ＣＰＵ２４は、表示フラグ切替処理を開始すると、ステップＳ８１で、表示用画面ボタン（アイコン１０２ｃ）であるかどうかを判断する。ステップＳ８１で“ＹＥＳ”であれば、つまりアイコン１０２ｃであれば、ステップＳ８３で、表示フラグがオフであるかどうかを判断する。
【０１０２】
ステップＳ８３で“ＮＯ”であれば、つまり、表示フラグがオンであれば、ステップＳ８５で、表示フラグをオフして、表示フラグ切替処理を終了し、画面表示処理にリターンする。一方、ステップＳ８３で“ＹＥＳ”であれば、つまり、表示フラグがオフであれば、ステップＳ８７で、表示フラグをオンして、ステップＳ８９で、表示用画面２００をキャプチャして、画面表示処理にリターンする。
【０１０３】
また、ステップＳ８１で“ＮＯ”であれば、つまり、アイコン１０２ｃでなければ、ステップＳ９１で、表示フラグがオンであるかどうかを判断する。ステップＳ９１で“ＹＥＳ”であれば、つまり、表示フラグがオンであれば、ステップＳ８９に進む。一方、ステップＳ９１で“ＮＯ”であれば、つまり表示フラグがオフであれば、そのまま画面表示処理にリターンする。
【０１０４】
図１６は図２に示すＣＰＵ２４の操作用画面の表示処理の他の例を示すフロー図である。以下、操作用画面の表示処理の他の例について説明するが、この他の例は、第１実施例の操作用画面の表示処理に、ステップＳ１０１、Ｓ１０３およびＳ１０５が追加されただけである。したがって、異なる内容について説明することにする。なお、第２実施例のＣＰＵ２４の表示用画面の表示処理は、図１２に示した第１実施例の表示用画面の表示処理と同じである。
【０１０５】
図１６に示すように、ステップＳ４１で、表示用画面２００部分の外枠を点滅表示すると、ステップＳ１０１で、表示フラグがオンであるかどうかを判断する。ステップＳ１０１で“ＹＥＳ”であれば、ステップＳ１０３で、表示用画面２００をキャプチャした画像の縮小画像を領域１０２ｄに表示して、画面表示処理にリターンする。一方、ステップＳ１０１で“ＮＯ”であれば、ステップＳ１０５で、縮小画像を消去（非表示）して、画面表示処理にリターンする。
【０１０６】
第２実施例においても、第１実施例と同様に、円滑に操作を行うことができる。
【０１０７】
また、第２実施例では、顧客に提示している表示用画面の縮小画像を見ることができるので、操作用画面の操作者は、顧客に対してより適切なアドバイスを行うことができ、また、顧客と的確な意見交換を行うことができる。つまり、適切な対話を行うことにより、より効率的な操作を行うことができる。
【０１０８】
［第３実施例］
第３実施例の情報処理システム１０は、操作用画面１００の領域１０２ｄに、常時、表示用画面２００をキャプチャした画像の縮小画像を表示するようにした以外は、第１実施例または第２実施例と同じであるため、重複した説明は省略する。
【０１０９】
つまり、第３実施例では、第２実施例と同様に、操作用画面１００に領域１０２ｄが設けられる。ただし、領域１０２ｄには、表示用画面２００をキャプチャした画像の縮小画像を常に表示するため、アイコン１０２ｃは設けられない。したがって、第２実施例で示した表示フラグ切替処理（プログラム）および表示フラグは不要である。
【０１１０】
第３実施例では、第２実施例で示した表示フラグ切替処理に代えて、画面表示処理（図１０）のステップＳ５〜Ｓ１１の間において、表示用画面２００をキャプチャする処理が実行される。また、第２実施例では、ＣＰＵ２４は、操作用画面の表示処理において、ステップＳ４１の処理の後に、操作用画面をキャプチャした画像の縮小画像を表示する処理を実行して、画面表示処理にリターンする。ただし、第３実施例においても、表示用画面の表示処理（図１２）は第１実施例と同じである。
【０１１１】
第３実施例においても、第１実施例と同様に、円滑な操作を行うことができる。
【０１１２】
また、第３実施例によれば、第２実施例と同様に、操作用画面の操作者は、顧客に対してより適切なアドバイスを行うことができ、また、顧客と的確な意見交換を行うことができる。
【０１１３】
上述の各実施例において、写真撮影所で選択された撮影画像からアルバムに使用する撮影画像を選択するようにしたが、これに限定される必要はない。顧客が持ち込んだ撮影画像から選択されてもよいし、それらの両方から選択されてもよい。また、撮影画像に限定される必要はなく、顧客が書いたイラスト画像でもよい。つまり、本願発明の情報処理システムは、操作者に操作用画面を提示し、顧客に表示用画面を提示し、複数の画像から或る商品に使用する画像を選択するサービスを提供する場合に適用可能である。
【０１１４】
また、上述の各実施例においては、情報処理プログラムは、ＲＡＭ３０に記憶されるように説明したが、このような情報処理プログラムは、従来公知の、コンピュータ読み取り可能な記録媒体に記録できる。情報処理プログラムを記録媒体に記録することで、情報処理プログラムに基づく処理を実行するためのプログラムコード（実行形式プログラム、中間コードプログラム、ソースプログラムなど）を記録した記録媒体を持ち運び自在に提供することができる。
【０１１５】
なお、記録媒体は、制御装置（コンピュータ）１２が処理を実行するためのメモリ、たとえばＲＯＭのようなプログラムメディアであってもよいし、またはコンピュータ１２が外部記憶装置として備えるプログラム読取装置に挿入することで読み取られるプログラムメディアであってもよい。
【０１１６】
また、情報処理プログラムはＲＡＭ３０に記憶される方式として説明したが、ＣＰＵ２４が記録媒体に直接アクセスして実行する方式であってもよい。
【０１１７】
ここで、上記プログラムメディアは、本体と分離可能に構成される記録媒体であり、磁気テープ、カセットテープなどのテープ系、フレキシブルディスク、ハードディスクなどの磁気ディスク、ＣＤ−ＲＯＭ、ＭＤ（Mini Disc）、ＤＶＤなどの光ディスクのディスク系、ＩＣカード（メモリカードを含む）、光カードなどのカード系、あるいはマスクＲＯＭ、ＥＰＲＯＭ、ＥＥＰＲＯＭ（登録商標）、フラッシュＲＯＭなどによる半導体メモリを含めた固定的にプログラムコードを担持する媒体であってもよい。
【０１１８】
また、制御装置１２が、インターネットを含む通信ネットワークに接続可能なシステム構成であれば、記録媒体は、通信ネットワークからプログラムコードをダウンロードするように、流動的にプログラムコードを担持する媒体であってもよい。なお、このように通信ネットワークからプログラムをダウンロードする場合には、そのダウンロード用のプログラムは予め本体装置に格納しておくか、または他の記録媒体からインストールしておく。また、上記情報処理プログラムは、上記プログラムコードが電子的な伝送で具現化された、搬送波に埋め込まれたコンピュータデータ信号の形態でも実現され得る。
【０１１９】
なお、上述の実施例で示した画面は一例であり、実際の製品および提供されるサービスに応じて適宜変更可能である。
【０１２０】
また、上述の実施例で示したフロー図の各ステップは、同じ結果が得られるのであれば、処理される順番は適宜変更することが可能である。
【符号の説明】
【０１２１】
１０  …情報処理システム
１２  …制御装置
１４  …第１モニタ
２０  …第２モニタ
２４  …ＣＰＵ
３０  …ＲＡＭ
３２  …画像データベース
３４、３６  …画像制御回路
３８  …タッチパネル制御回路
【図１】
2020024444.tif 000003
【図２】
2020024444.tif 000004
【図３】
2020024444.tif 000005
【図４】
2020024444.tif 000006
【図５】
2020024444.tif 000007
【図６】
2020024444.tif 000008
【図７】
2020024444.tif 000009
【図８】
2020024444.tif 000010
【図９】
2020024444.tif 000011
【図１０】
2020024444.tif 000012
【図１１】
2020024444.tif 000013
【図１２】
2020024444.tif 000014
【図１３】
2020024444.tif 000015
【図１４】
2020024444.tif 000016
【図１５】
2020024444.tif 000017
【図１６】
2020024444.tif 000018